(57)【要約】【課題】組立性及びレフィル交換性を向上した多芯筆記具を提供する。【解決手段】本発明は、多芯筆記具であって、前記尾栓が、前記インキ収容筒の後端部に装着する前端部と、前記操作体または摺動体に連接する後端部とを設け、前記尾栓の後端部は、少なくとも後端が開口した孔部を有し、前記連接部は、前記孔部に挿通する軸部と、当該軸部に設けた膨出部とを有するとともに、前記孔部は、前記膨出部の外接円径よりも内径の大きい開口導入部と、当該開口導入部の前方に、前記膨出部の外接円径よりも内径が大きく、且つ前記開口導入部の内径よりも小さい内径のガイド部と、当該ガイド部の前方に、前記膨出部の外接円径よりも内径の小さい突部を設け、前記膨出部と前記突部との乗り越し嵌合によって、前記尾栓と摺動体とを着脱自在に連接してあることを特徴とする。【選択図】図１
2015009415.tif 000002
【特許請求の範囲】
【請求項１】
インキ収容筒内に筆記具用インキを収容し、前記インキ収容筒の前端部に筆記具用インキが吐出可能なペン先を、直接、またはペン先ホルダーを介して装着し、前記インキ収容筒の後端部に尾栓を装着してなる筆記具用レフィルを軸筒内に複数本、弾発体により軸筒後端方向に付勢して配設し、操作体を操作することにより、前記操作体に直接、または前記操作体の操作に連動して摺動する摺動体に着脱自在に連接した前記筆記具用レフィルのペン先を選択的に出没可能な多芯筆記具であって、前記尾栓が、前記インキ収容筒の後端部に装着する前端部と、前記操作体または摺動体に連接する後端部とを設け、前記尾栓の後端部は、少なくとも後端が開口した孔部を有し、前記連接部は、前記孔部に挿通する軸部と、当該軸部に設けた膨出部とを有するとともに、前記孔部は、前記膨出部の外接円径よりも内径の大きい開口導入部と、当該開口導入部の前方に、前記膨出部の外接円径よりも内径が大きく、且つ前記開口導入部の内径よりも小さい内径のガイド部と、当該ガイド部の前方に、前記膨出部の外接円径よりも内径の小さい突部を設け、前記膨出部と前記突部との乗り越し嵌合によって、前記尾栓と摺動体とを着脱自在に連接してあることを特徴とする多芯筆記具。
【請求項２】
前記尾栓の後端から前記突部までの長手方向の長さが、前記膨出部の前端から膨出部後端までの長手方向の長さよりも長いことを特徴とする請求項１に記載の多芯筆記具。
【請求項３】
前記インキ収容筒の後端部、且つ前記尾栓の前端部に対向した位置に、内側に向かって突出する突起部を設け、当該突起部の内径を前記尾栓の前端部の内径よりも小さくすることを特徴とする請求項１または２に記載の多芯筆記具。
【発明の詳細な説明】
【技術分野】
【０００１】
本発明は、筆記具用レフィルのペン先を選択的に出没可能な多芯筆記具に関する。
【背景技術】
【０００２】
従来から筆記具用レフィルのペン先を選択的に出没可能な多芯筆記具はよく知られている。こうした多芯筆記具においては、例えば、特開２００２−２９３０８８号公報「複式筆記具」では、筆記具用レフィルの後端部に装着した尾栓を摺動コマ（摺動体）に着脱自在に連接した回転繰り出し式の多芯筆記具を、実開平４−１１１４８９号公報「シャープペンシルとボールペンの多芯筆記具」では、摺動体の連接部を筆記具用レフィルのインキ収容筒とを着脱自在に連接したスライド式の多芯筆記具が開示されている。
【０００３】
前記した多芯筆記具は、複数の筆記具用レフィルを配設しているため、各筆記具用レフィルは、軸筒の軸心に対して偏心した位置に配設している。また、口先は先端開口部に向かって先細状となっている。そのため、筆記具用レフィルのペン先を軸筒の前端開口部より出没する際には、特に撓み難い金属製の材料からなるインキ収容筒を具備した筆記具用レフィルにおいては、特開２００８−２２１５１２号公報「複式筆記具」のように、筆記具用レフィルを軸筒の軸心に対し、揺動可能に配設する必要がある。
【０００４】
ところで、多芯筆記具においては、筆記具用レフィルを交換可能とすることが一般的であるが、軸筒内にて筆記具用レフィルと摺動体を着脱自在に連接するために、不透明軸やコイルスプリング等の弾性体によって、連接する部分を外観から視認し難く、組立時や筆記具用レフィルの交換作業し難いという問題があり、軸筒内にて筆記具用レフィルと摺動体を連接しやすい多芯筆記得が切望されている。
【先行技術文献】
【特許文献】
【０００５】
【特許文献１】特開２００２−２９３０８８号公報
【特許文献２】実開平４−１１１４８９号公報
【特許文献３】特開２００８−２２１５１２号公報
【発明の開示】
【発明が解決しようとする課題】
【０００６】
しかし、特許文献１、２のように、摺動体の連接部を筆記具用レフィルのインキ収容筒の開口内に着脱自在に連接しただけでは、筆記具用レフィルを軸筒の軸心に対し、揺動し難く、スムーズな出没を得られ難い問題があった。また、特許文献３では、筆記具用レフィルを軸筒の軸心に対し、揺動可能とはなるが、その反面、筆記具用レフィルと操作体との軸心が合致し難く、筆記具用レフィルと操作体とが連接しやすい構造には至っていない。
【０００７】
本発明は、前記従来の問題点を解決するものであって、組立性及びレフィル交換性を向上した多芯筆記具を提供しようとするものである。
【課題を解決するための手段】
【０００８】
上記目的を達成するために、本発明は、第１に、インキ収容筒内に筆記具用インキを収容し、前記インキ収容筒の前端部に筆記具用インキが吐出可能なペン先を、直接、またはペン先ホルダーを介して装着し、前記インキ収容筒の後端部に尾栓を装着してなる筆記具用レフィルを軸筒内に複数本、弾発体により軸筒後端方向に付勢して配設し、操作体を操作することにより、前記操作体に直接、または前記操作体の操作に連動して摺動する摺動体に着脱自在に連接した前記筆記具用レフィルのペン先を選択的に出没可能な多芯筆記具であって、前記尾栓が、前記インキ収容筒の後端部に装着する前端部と、前記操作体または摺動体に連接する後端部とを設け、前記尾栓の後端部は、少なくとも後端が開口した孔部を有し、前記連接部は、前記孔部に挿通する軸部と、当該軸部に設けた膨出部とを有するとともに、前記孔部は、前記膨出部の外接円径よりも内径の大きい開口導入部と、当該開口導入部の前方に、前記膨出部の外接円径よりも内径が大きく、且つ前記開口導入部の内径よりも小さい内径のガイド部と、当該ガイド部の前方に、前記膨出部の外接円径よりも内径の小さい突部を設け、前記膨出部と前記突部との乗り越し嵌合によって、前記尾栓と摺動体とを着脱自在に連接してあることを特徴とする。尚、本発明で、「前」とは、ペン先側を指し、「後」とは、その反対側を指す。
【０００９】
本願発明の第１の構成によれば、前記尾栓が、前記インキ収容筒の後端部に装着する前端部と、前記操作体または摺動体に連接する後端部とを設け、前記尾栓の後端部は、少なくとも後端が開口した孔部を有し、前記連接部は、前記孔部に挿通する軸部と、当該軸部に設けた膨出部とを有するとともに、前記孔部は、前記膨出部の外接円径よりも内径の大きい開口導入部と、当該開口導入部の前方に、前記膨出部の外接円径よりも内径が大きく、且つ前記開口導入部の内径よりも小さい内径のガイド部と、当該ガイド部の前方に、前記膨出部の外接円径よりも内径の小さい突部を設け、前記膨出部と前記突部との乗り越し嵌合によって、前記尾栓と摺動体とを着脱自在に連接することで、前記連接部が、尾栓の開口端、開口導入部、ガイド部よってスムーズに進入するため、尾栓と操作体とを連接しやすくすることができる。また、軸部と開口導入部及びガイド部よって、筆記具用レフィルを軸筒の軸心に対し、揺動し易くすることができる。また、圧入嵌合のみで連接した場合は、常時、圧入力が加わった状態であり、経時によって変形し、嵌合力が低下する恐れがあるが、本願発明の第１の構成によれば、繰り返しの着脱による嵌合力の低下を抑制することができる。
【００１０】
第２に、前記尾栓の後端から前記突部までの長手方向の長さが、前記膨出部の前端から膨出部後端までの長手方向の長さよりも長いことを特徴とする。
【００１１】
本願発明の第２の構成によれば、前記尾栓の後端から前記突部までの長手方向の長さが、前記膨出部の前端から膨出部後端までの長手方向の長さよりも長くすることで、前記摺動体の膨出部が、前記尾栓内に全て潜り込んだ後、前記膨出部が前記突部を乗り越えるために、筆記具用レフィルを押し込む力が分散し難く、容易に連接することができる効果を奏する。
【００１２】
第３に、前記インキ収容筒の後端部、且つ前記尾栓の前端部に対向した位置に、内側に向かって突出する突起部を設け、当該突起部の内径を前記尾栓の前端部の内径よりも小さくすることを特徴とする。
【００１３】
本願発明の第３の構成によれば、前記インキ収容筒の後端部、且つ前記尾栓の前端部に対向した位置に、内側に向かって突出する突起部を設け、当該突起部の内径を前記尾栓の前端部の内径よりも小さくすることで、尾栓の抜け力を高める。尚、インキ収容筒の後端部に設ける突起部は、周状に設けることが好ましいが、周方向の異なる複数箇所に設ける構成であってもよい。尚、尾栓の抜け力は、５ｋｇ以上とすることが、安全性の観点から最も好ましい。
【発明の効果】
【００１４】
本発明は、組立性及びレフィル交換性を向上した多芯筆記具を提供ことができた。
【図面の簡単な説明】
【００１５】
【図１】実施形態１における多芯筆記得を示す縦断面図である。
【図２】図１における筆記具用レフィルを示すの拡大縦断面図である。
【図３】図１における一部省略したレフィル前端部の拡大図である。
【図４】図１における一部省略したレフィル後端部の拡大図である。
【図５】尾栓と摺動体との連接状態を示す説明図である。
【図６】図４における拡大斜視図である。
【発明を実施するための最良の形態】
【００１６】
次に図面を参照しながら、本発明の多芯筆記具の実施形態を説明するが、本発明は以下の実施形態に限定されるものではない。
【００１７】
本発明の第１の実施の形態を図１〜図６に示す。
多芯式筆記具１は、前軸２と後軸３とを連結筒４を介し、前軸２と、後軸３とを相対的に回転可能に連設した軸筒本体の内部に、前記した筆記具用レフィル２１と、該筆記具用レフィル２１とインキ色の異なる他の筆記具用レフィル３１とを保持する複数の摺動溝（図示せず）を設けた摺動ケース６と、後軸３を前軸２に対して回動することで摺動ケース６の外周面上を回転可能な繰り出しカム５とを有し、前記摺動溝に、カム係止突起７Ａを有する摺動体７が連接した筆記具用レフィル２１を、コイルスプリングからなる弾性体１０より前軸２の前端開口部２Ａと反対側の後方へ付勢して配し、他の摺動溝に、カム係止突起８Ａを有する摺動体８が連接した他の筆記具用レフィル３１を、コイルスプリングからなる弾性体１１により前軸２の前端開口部２Ａと反対側の後方へ付勢して配している、従来から知られている回転繰り出し式の多芯筆記具であって、前軸２を連結筒４から取り外すことで、筆記具用レフィル２１，３１を交換することができる。
【００１８】
前記繰り出しカム５は、カム斜面の前端に凹溝５Ａを形成してあり、摺動体７のカム係止突起７Ａをカム斜面に当接して、繰り出しカム５の回転に伴い、カム係止突起７Ａがカム斜面に沿って移動し、前記凹溝５Ａに係止することで、摺動体７を装着した筆記具用レフィル２１のペン先２３または摺動体８を装着した他の筆記具用レフィル３１のペン先３３を、前筒２の前端開口部２Ａから出没できるようにしてある。
【００１９】
前記摺動体７は、前端部に連接部７Ｂを備えている。前記連接部７Ｂは、筆記具用レフィル２１の尾栓２６内に挿通する軸部７Ｃと、当該軸部７Ｃの前端部に設けた膨出部７Ｄとを有している。前記膨出部７Ｄは、球状体の前端部及び対峙する側面を切り落とした形状としてある。
【００２０】
また、後軸３の後端部には保持部材１１を、繰り出しカム６の後端部内に設けた雌ねじ部と、保持部材１１の側面に設けた雄ねじ部とを、保持部材１１の後端が、後軸３の後方に位置するように螺着してある。また、保持部材１１にはポリエステル系エラストマーからなるゴム状弾性体の摩擦体１３を、保持部材１１の内方突起部に摩擦体１３の装着部に設けた外方突起部を乗り越し嵌合することによって装着してある。この摩擦体１３を筆記面に圧接し、擦ることで発生する熱によって、熱変色性インキの筆跡を熱消色又は熱変色させることができる。また、摩擦体１３の外側には、頭冠１２を保持部材１１の雄ねじ部に頭冠１２内面の雌ねじ部とを着脱自在に螺着してある。また、後軸１３の後端部には、後軸１３と保持部材１１間に固定したクリップ１４を装着してある。
【００２１】
前記筆記具用レフィル２１は、ペン先２３、と、該ペン先２３の後端部２３Ｂが前端部２５Ａに圧入固着されたペン先ホルダー２５と、該ペン先ホルダー２５の後端部２５Ｂが前端部２２Ａに圧入固着されるインキ収容筒２２とを具備している。また、インキ収容筒２２の後端部２２Ｂには、尾栓２６の前端部２６Ａが圧入固着されている。
【００２２】
前記ペン先２３は、ペン先前端部２３Ａのボール抱持室に、回転可能にボール２４が抱持されているボールペンチップからなり、ボール２４の後方には、前記ボール２４を常時、ペン先前端部の内壁に押圧するコイルスプリング２９を配設してある。
【００２３】
前記ペン先ホルダー２５は、透明合成樹脂（ポリプロピレン樹脂）で形成され、ペン先ホルダー２５の後端部２５Ｂは、略同外径の筒状体となっていて、ペン先２３とインキ収容筒２２間において、ペン先ホルダー２５を通じ、筆記具用インキ２７を外部から視認可能としてある。
【００２４】
前記尾栓２６は、不透明合成樹脂（ポリアセタール樹脂）で形成され、インキ収容筒２２の後端部２２Ｂ内に挿通する前端部２６Ａと、前記インキ収容筒２２の後方に位置する後端部２６Ｂとを有している。
【００２５】
また、前記尾栓２６の後端部２６Ｂには、前記膨出部７Ｄの外接円径Ｔよりも大きい内径Ｑの開口導入部２６Ｃと、当該開口導入部２６Ｃの前方に、前記膨出部７Ｄの外接円径Ｔよりも内径Ｒが大きく、且つ前記開口導入部２６Ｃの内径Ｒよりも小さい内径Ｒのガイド部１５Ｄと、当該ガイド部２６Ｄの前方に、前記膨出部７Ｄの外接円径Ｔよりも小さい内径Ｓの乗り越し突部２６Ｅを設けてある。
【００２６】
前記インキ収容筒２２は、ステンレス鋼（ＳＵＳ３０４）からなる両端が開口された円筒体の金属パイプである。当該インキ収容筒２２の前端部２２Ａには、インキ収容筒２２の内側に向かって突出する突部２２Ｃを周設してある。インキ収容筒２２の後端部２２Ｂには、インキ収容筒２２の内側に向かって突出する突起部２２Ｄを周方向の異なる２箇所に設けてある。
【００２７】
前記インキ収容筒２２の内部、ペン先ホルダー２５の内部、ペン先２３内部には、黒色の熱変色性インキ２７が収容される。また、前記インキ収容筒２２内には、前記熱変色性の筆記具用インキ２７の後端に配置され且つインキ消費に伴い前進する高粘度流体からなるインキ追従体２８が収容される。
【００２８】
前記筆記具用レフィル２１は、図４に示すように、尾栓２６の後端部２６Ｂに設けた乗り越し突部２６Ｅを、前記摺動体７の連接部７Ｂに設けた膨出部７Ｄが乗り越すことによって、着脱自在に連接し、前記摺動体７と筆記具用レフィル２１を連動して摺動するように配してある。
【００２９】
具体的には、組立時及びレフィル交換時等、摺動体７と筆記具用レフィル２１との連接するには、先ず、筆記具用レフィル２１を摺動体７側に押し込むと、摺動体７の膨出部７Ｄが、筆記具用レフィル２１の尾栓２６に設けた開口導入部２６Ｃ内に進入し、前記膨出部７Ｄは、開口導入部２６Ｃの前方に設けたガイド部２６Ｄを通り、当該ガイド部２６Ｄの前方に設けた乗り越し突部２６Ｅに達する。さらに筆記具用レフィル２１を押し込むと、前記膨出部７Ｄが、前記尾栓２６の乗り越し突部２６Ｅを乗り越える。また、筆記具用レフィル２１は、摺動体７の段部７Ｆ及び尾栓２６の後端壁によって、その後の進入を制限され、摺動体７と尾栓２６とが結合される。尚、前記膨出部２７Ｂは尾栓２６に対し揺動可能とし、摺動体７の突片７Ｅによって、過剰な傾きを抑制してある。
【００３０】
さらに筆記具用レフィル２１について詳述すると、インキ収容筒２２の前端部２２Ａに、φ０．５ｍｍのボール２４を回転自在に抱持したボールペンチップからなるペン先２３を、ペン先ホルダー２５を介して装着してある。また、インキ収容筒２２内には、平均粒径が０．５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性の筆記具用インキ２７と、このインキの後端に、インキ追従体２８を直に収容してある。尚、インキ粘度は、ＥＭ型回転粘度計における１００ｒｐｍ、４０〜２００ｍＰａ・ｓ（２５℃）とすることが好ましい。
【００３１】
前記尾栓２６の開口導入部２６Ｃの内径Ｑは、膨出部７Ｄの外接円径Ｔの１１０％であり、ガイド部２６Ｄの内径Ｒは、膨出部７Ｄの外接円径Ｔの１０３％であった。また、乗り越し突部２６Ｅの内径Ｓは、膨出部７Ｄの外接円径Ｔの９５％であった。また、インキ収容筒２２の後端部２２Ｂに設けた突起部２２Ｄの内径Ｐは、インキ収容筒２２の内径Ｌの９２％であった。
【００３２】
前記筆記具用レフィル２１の製造方法は、予め製作してあったボールペンチップからなるペン先２３の後端部２３Ｂをペン先ホルダー２５の前端部２５Ａに圧入装着し、次に前記インキ収容筒２２の前端部２２Ａに、前記ペン先ホルダー２５の後端部２５Ｂを圧入装着する。
【００３３】
さらにインキ収容筒２２内に熱変色性の筆記具用インキ２７及びインキ追従体２８を収容した後、インキ収容筒２２の後端部２２Ｂに尾栓２６の前端部２６Ａを挿通する。その後、前記インキ収容筒２２の前端部に、外側から内側に向かって空気冷却しながら押圧加工を施し、前記インキ収容筒２２の内側に向かって突出する突部２２Ｃを周設して、ペン先ホルダー２５の抜け力を高めるとともに、インキ収容筒２２とペン先ホルダー２５間からのインキ漏れを抑制している。また、前記インキ収容筒２２の後端部も外側から内側に向かって押圧加工を施し、前記インキ収容筒２２の内側に向かって突出する突起部２２Ｄを周方向の異なる２箇所に設け、尾栓２６を装着し、抜け力を高めてある。最後に筆記具用レフィル２１を遠心脱泡の処理を行い、熱変色性筆記具用レフィルからなる筆記具用レフィル２１を得ている。
【００３４】
前記尾栓２６の外形形状は特に限定されないが、尾栓２６の後端部２６Ｂの外径をインキ収容筒２２の外径と同径以下とすることで、筆記具用レフィル２１を軸筒内に挿通し易くなるので好ましい。
【００３５】
また、インキ収容筒２２の突起部２２Ｄの大きさは、特に限定されるものではないが、インキ収容筒２２の内径Ｌと突起部２２Ｄの内径Ｐとの差が大きいと、突起部形成時や装着時に尾栓が変形しやすく、筆記具用レフィルの軸心と尾栓の軸心がずれる恐れがあり、径差が小さいと、尾栓２６の抜け力が小さくなる傾向となるので、突起部２２Ｄの内径Ｐは、インキ収容筒２２の内径Ｌの９０％〜９５％とすることが好ましい。
【００３６】
尚、本発明におけるインキ収容筒には、例えば、ステンレス鋼、アルミニウム、アルミニウム合金、銅、銅合金、チタン、チタン合金、ニッケル、ニッケル合金、鉄、鉄合金等の金属製の材料やポリプロピレン樹脂、ポリアセタール樹脂、ポリカーボネート樹脂等の合成樹脂が挙げられ、遮光性、ガス透過性を考慮すると金属製の材料が好ましく、コスト、耐食性を考慮するとステンレス鋼が好ましい。また、本発明における尾栓摺動体、ペン先ホルダーには、例えば、ポリプロピレン樹脂、ポリアセタール樹脂、アクリルニトリルスチレン樹脂等の合成樹脂製の材料が挙げられ、摺動性等を考慮するとポリアセタール樹脂が好ましく、ペン先ホルダーには、透明性やインキのビジブル性など考慮するとポリプロピレンが好ましい。
【００３７】
また、筆記具用インキは、熱変色性の筆記具用インキに限定されるものではなく、染料やカーボンブラック等の顔料、酸化チタンやアルミニウム等の金属粉顔料を着色剤として用いた水性ゲルインキ等、適宜選択して用いることができる。実施形態のように熱変色性インキを用いる場合には、可逆熱変色性インキとすることが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００３８】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００３９】
また、前記した摩擦体には、弾性感に富み、摩擦時に適度な摩擦を生じて摩擦熱を発生させることのできるゴム、エラストマー等のゴム状弾性体が好適である。具体的には、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。また、摩擦体は、後軸と一体に形成又は別部材にて装着してあってもよい。尚、消しゴムを使用して筆跡を摩擦することもできるが、摩擦時に消しカスが発生するため、好ましくは前述のような摩擦体が用いられ、前記摩擦体の材質としては、シリコーン樹脂やＳＥＢＳ樹脂（スチレンエチレンブタジエンスチレンブロック共重合体）が好適に用いられる。
【００４０】
また、本実施形態では、便宜上、ペン先としてボールペンチップを用いたボールペンレフィルを例示しているが、筆記具用レフィルには、例えば、マーキングペン等が挙げられる。
【００４１】
本実施形態では、便宜上、回転操作により、ペン先を軸筒前端開口部から出没させる機構を例示しているが、ノック式、スライド式等、軸筒内に複数の筆記具用レフィルを収容する多芯筆記具であれば、特に限定されるものではない。また、軸筒内に色の異なる２本の熱変色性筆記具用レフィルからなる筆記具用レフィルを収容した多芯筆記具を例示しているが、筆記具用レフィルを３本以上、油性ボールペンレフィルや水性ゲルインキボールペンレフィル、シャープペンシルなど、異なる筆記具用レフィルを組合せて用いることもできる。
【産業上の利用可能性】
【００４２】
本発明の多芯筆記具は、筆記具用レフィルと摺動体又は操作体とを連接しやすいため、筆記具用レフィルを着脱自在に連接した多芯筆記具として広く実施可能である。
【符号の説明】
【００４３】
１  多芯筆記具
２  前軸
２Ａ  前端開口部
３  後軸
４  連結筒
５  繰り出しカム
６  摺動ケース
７、８  摺動体
７Ａ  カム係止突起
７Ｂ  連接部
７Ｃ  軸部
７Ｄ  膨出部
７Ｅ  突片
７Ｆ  段部
９、１０  弾性体
１１  保持部材
１２  頭冠
１３  摩擦体
２１、３１  筆記具用レフィル
２２、３２  インキ収容筒
２２Ａ、３２Ａ  前端部
２２Ｂ、３２Ｂ  後端部
２２Ｃ、３２Ｃ  突部
２２Ｄ、３２Ｄ  突起部
２３、３３  ペン先
２４、３４  ボール
２５、３５  ペン先ホルダー
２６、３６  尾栓
２６Ａ  前端部
２６Ｂ  後端部
２６Ｃ  開口導入部
２６Ｄ  ガイド部
２６Ｅ  突部
２７、３７  筆記具用インキ
２８、３８  インキ追従体
２９、３９  コイルスプリング
【図１】
2015009415.tif 000003
【図２】
2015009415.tif 000004
【図３】
2015009415.tif 000005
【図４】
2015009415.tif 000006
【図５】
2015009415.tif 000007
【図６】
2015009415.tif 000008